(57)【特許請求の範囲】
【請求項１】
光透過帯と遮光帯とが交互に繰り返して設けられているルーバー層が、厚さ方向にｎ層（ｎは３〜１０の整数）で積層された光透過方向制御シートであって、
前記光透過方向制御シートの厚さ方向に全ルーバー層を重ねて見て、各遮光帯の長さ方向が互いに（１８０°／ｎ）±５°の交差角度を有し、
任意の方向から見た視野角が５〜２５°である、光透過方向制御シート。
【請求項２】
前記ｎ層のルーバー層の合計の厚さが７００μｍ〜６０００μｍである、請求項１に記載の光透過方向制御シート。
【請求項３】
個々の前記ルーバー層において、一のルーバー層を構成する複数の遮光帯は等間隔で繰り返されている、請求項１又は２に記載の光透過方向制御シート。
【請求項４】
各々の前記ルーバー層において、光透過帯の幅が５０μｍ〜３００μｍであり、遮光帯の幅が２μｍ〜５０μｍである、請求項１〜３の何れか一項に記載の光透過方向制御シート。
【請求項５】
積層された各々の前記ルーバー層の｛前記光透過帯の幅÷（光透過帯の幅＋遮光帯の幅）｝×１００％で表される開口率が８０％以上である、請求項１〜４の何れか一項に記載の光透過方向制御シート。
【請求項６】
光源と、
前記光源からの光の出射部に設置された請求項１〜５の何れか一項に記載の光透過方向制御シートと、を備えた照明装置。
【請求項７】
光センサーと、
前記光センサーへの光の入射部に設置された請求項１〜５の何れか一項に記載の光透過方向制御シートと、を備えた光センサー装置。
【発明の詳細な説明】
【技術分野】
【０００１】
本発明は、入射する光線束のうち、特定の入射角を有する光線のみが透過する光透過方向制御シートに関する。より詳しくは、本発明は、照明、各種の表示画面等に設置したときに狭視野角を実現することが可能な光透過方向制御シートに関する。
【背景技術】
【０００２】
携帯情報端末、現金自動預入支払機等の表示画面に設置されたときに、表示画面の手前側からの視認性を損なうことなく、左右側及び向かい側からの覗き見を防止できる覗き見防止体が開示されている（特許文献１）。この覗き見防止体において、光透過帯と遮光帯とが交互に配置されたルーバー層が２段重ねられており、１段目のルーバー層によって左右側の視野角が制御され、２段目のルーバー層によって向かい側の視野角が制御される。この際、２段目の光透過帯及び遮光帯が手前側に傾けて設置されることにより、手前側の視野角が広くなり、手前側からの視認性が確保されている。
【先行技術文献】
【特許文献】
【０００３】
【特許文献１】特開２００７−２１２５０７号公報
【発明の概要】
【発明が解決しようとする課題】
【０００４】
ここで、図６に示す、光透過帯ａ１及び遮光帯ａ２が交互に繰り返されたルーバー層Ａと、光透過帯ｂ１及び遮光帯ｂ２が交互に繰り返されたルーバー層Ｂとが重ねられた積層体１００について検討する。この積層体１００の下面１００ａを表示画面に設置し、そのほぼ真上から見た（図６のＺ２側から見下ろした）ときにだけ表示画面が視認可能な構成は、任意方向の視野角（全方位視野角）が狭められた構成である。図７に示す様に、１段目のルーバー層Ａの遮光帯の厚さをｈ１からｈ２に厚くすると、Ｙ−Ｚ平面に沿う矢印で表された透過光の視野角をθ１からθ２へ狭くすることができる。同様に、２段目のルーバー層Ｂの遮光帯を厚くすると、Ｘ−Ｚ平面に沿う透過光の視野角を狭くすることができる（不図示）。これらのルーバー層を２段重ねることにより全方位視野角を狭くすることができる。ただし、全方位視野角を狭めるためには、１段目と２段目のルーバー層の遮光帯の長さ方向を互いに直交させると共に、各ルーバー層Ａ，Ｂを従来よりも格段に厚くする必要が生じる。
【０００５】
一例として、例えば１段目及び２段目のルーバー層の光透過帯の幅が１００μｍであり、光透過帯を構成する透明樹脂の屈折率が１．４１である場合、全方位視野角１０°を実現するためには、各ルーバー層の厚さは約１６００μｍ以上であることが要求される。また、透過する光量をできる限り増やすためには、各ルーバー層の遮光帯の幅ができる限り小さいこと、例えば１０μｍ程度であることが求められる。
【０００６】
ルーバー層の厚さがｎ倍厚くなると、光の透過率は、材料で決まる透過係数をルーバー層の厚さ増加分でべき乗した値に低下する。つまり、透過係数が０．９である場合、厚さが２倍になると、その透過率は厚くなる前の０．９に対して、厚くなった後では０．８１＝(０．９)２に低下する。
なお、ここではルーバー層の固体内部における光の透過率を検討しており、積層体１００の表面と裏面で生じる界面反射が光の透過率に与える影響については考慮しない。
【０００７】
上記ルーバー層の１６００μｍという厚さは、従来に比べて４〜１０倍程度の厚さである。この様に格段に厚いルーバー層において、仮に、遮光帯の幅に２μｍ程度のバラつきがある場合、出射面における光線透過率のバラつき、すなわち輝度のバラつき、が大きくなる問題が生じる。例えば、入射する平面光源の輝度３０００ｃｄ／ｍ２に対して、出射面に２１０ｃｄ／ｍ２程度の輝度のバラつきが、遮光帯のピッチに対応して生じる。この様な輝度のバラつきは、人間の目には光の濃淡として認識されるため、多くの用途においては排除すべきものである。
【０００８】
したがって、ルーバー層が格段に厚くなった場合、薄い場合と比べて、光透過帯と遮光帯の幅の精度が極めて高いことが求められる。例えば、幅１００μｍの光透過帯及び幅１０μｍの遮光帯が交互に等間隔で配置され、且つ厚さが１６００μｍであるルーバー層を寸法誤差１μｍ以下で製造可能な方法は現状見当たらない。仮に、遮光帯に対応する幅１０μｍの溝を１１０μｍの等間隔で備えた金型を使用した樹脂成型方法の適用を検討したとしても、遮光帯の厚さに対応する上記溝の深さを１６００μｍ以上にすることは実質的に不可能である。なぜならば、深さ１６００μｍ、幅１０μｍの溝に樹脂材料を注入して遮光帯を形成しようと試みても、幅に対して１６倍の深さの溝から成形品を引き抜くことが困難だからである。このように製造が困難であるため、２段重ねのルーバー層によって全方位で狭視野角を実現した従来技術は知られていない。
【０００９】
本発明は、上記事情を鑑みてなされたものであり、全方位で狭視野角を得ることが可能な光透過方向制御シートの提供を課題とする。
【課題を解決するための手段】
【００１０】
［１］  光透過帯と遮光帯とが交互に繰り返して設けられているルーバー層が、厚さ方向に３層以上積層されている光透過方向制御シート。
［２］  前記光透過方向制御シートの厚さ方向に見て、第１ルーバー層の遮光帯の長さ方向と、前記第１ルーバー層の一方の面に設置された第２ルーバー層の遮光帯の長さ方向との交差角度が８５〜９５°である、上記［１］に記載の光透過方向制御シート。
［３］  前記光透過方向制御シートの厚さ方向に見て、前記第２ルーバー層の遮光帯の長さ方向と、前記第２ルーバー層の一方の面に設置された第３ルーバー層の遮光帯の長さ方向との交差角度が８５〜９５°である、上記［２］に記載の光透過方向制御シート。
［４］  前記第３ルーバー層の一方の面にさらに第４ルーバー層が設置されており、前記光透過方向制御シートの厚さ方向に見て、前記第３ルーバー層の遮光帯の長さ方向と、前記第４ルーバー層の遮光帯の長さ方向との交差角度が８５〜９５°である、上記［３］に記載の光透過方向制御シート。
［５］  前記光透過方向制御シートの厚さ方向に見て、前記第１ルーバー層において等間隔で繰り返された遮光帯が、前記第３ルーバー層において等間隔で繰り返された遮光帯とは別の遮光帯として視認される、上記［３］又は［４］に記載の光透過方向制御シート。
［６］  前記ルーバー層がｎ層（ｎ≧３）積層されており、前記光透過方向制御シートの厚さ方向に全ルーバー層を重ねて見て、各遮光帯の長さ方向が、互いに（３６０°／ｎ）±５°の交差角度を有する、上記［１］に記載の光透過方向制御シート。
［７］  前記ルーバー層がｎ層（ｎ≧３）積層されており、前記光透過方向制御シートの厚さ方向に全ルーバー層を重ねて見て、各遮光帯の長さ方向が、互いに（１８０°／ｎ）±５°の交差角度を有する、上記［１］に記載の光透過方向制御シート。
［８］  前記ルーバー層が２つ積層され、互いの遮光帯の長さ方向の交差角度が８５〜９５°である二層組シートが、２枚重ねられてなる光透過方向制御シートであって、第１の二層組シートを構成する一方のルーバー層の遮光帯と、第２の二層組シートを構成する一方のルーバー層の遮光帯との交差角度が任意の角度である、上記［１］に記載の光透過方向制御シート。
［９］  前記第１の二層組シートを構成する一方のルーバー層の遮光帯と、前記第２の二層組シートを構成する一方のルーバー層の遮光帯との交差角度が４０〜５０°である、上記［８］に記載の光透過方向制御シート。
［１０］  さらに、１枚以上の前記二層組シートが重ねられてなる、上記［８］又は［９］に記載の光透過方向制御シート。
［１１］  積層された各々の前記ルーバー層の｛前記光透過帯の幅÷（光透過帯の幅＋遮光帯の幅）｝×１００％で表される開口率が８０％以上である、上記［１］〜［１０］の何れか一項に記載の光透過方向制御シート。
［１２］  前記光透過方向制御シートの厚さ方向に全ルーバー層を重ねて見て、各ルーバー層の遮光帯が個別の遮光帯として視認される、上記［１］〜［１１］の何れか一項に記載の光透過方向制御シート。
［１３］  任意の方向から見た視野角が５〜２５°である、上記［１］〜［１２］の何れか一項に記載の光透過方向制御シート。
［１４］  光源と、前記光源からの光の出射部に設置された上記［１］〜［１３］の何れか一項に記載の光透過方向制御シートと、を備えた照明装置。
［１５］  光センサーと、前記光センサーへの光の入射部に設置された上記［１］〜［１３］の何れか一項に記載の光透過方向制御シートと、を備えた光センサー装置。
【発明の効果】
【００１１】
本発明の光透過方向制御シートによれば、全方位で狭視野角を得ることができる。したがって、表示画面に当該シートを取り付けることによって、四方からの覗き見を防止し、当該シート面の垂線方向に狭く絞られた方向のみから、当該表示画面を視認することができる。
また、光源の光出射部に当該シートを取り付けることによって、光出射方向が当該シート面の垂線方向に狭く絞られた光線を照射することができる。
また、光センサーの光入射部（受光部）に当該シートを取り付けることによって、当該シート面の垂線方向に狭く絞られた方向から入射する光線のみを当該センサーで検知することができる。
【図面の簡単な説明】
【００１２】
【図１】本発明の第一実施形態を示す斜視図である。
【図２】図１のＹ−Ｚ平面における断面図である。
【図３】図１のＸ−Ｚ平面における断面図である。
【図４】４つのルーバー層が積層された光透過方向制御シートの一例を厚さ方向に見て、各ルーバー層の遮光帯の重なりの様子を示した模式図である。
【図５】４つのルーバー層が積層された光透過方向制御シートの別の一例を厚さ方向に見て、各ルーバー層の遮光帯の重なりの様子を示した模式図である。
【図６】２段重ねのルーバー層を示す斜視図である。
【図７】ルーバー層の厚さと視野角の関係を表す斜視図である。
【発明を実施するための形態】
【００１３】
＜第一態様＞
本発明の第一態様は、光透過帯と遮光帯とが交互に繰り返して設けられているルーバー層が、厚さ方向に３層以上積層されている光透過方向制御シートである。
【００１４】
狭い全方位視野角を実現するために必要な光透過方向制御シートの厚さの確保は、積層された各ルーバー層によって分担される。したがって、ルーバー層の積層数が３層以上であると、積層数が２層である場合よりも、各ルーバー層の厚さを薄くすることができる。この結果、各ルーバー層で発生する輝度のバラつきの強度を低減することができる。
さらに、各ルーバー層で発生する輝度のバラつきの強度が低減されることにより、そのバラつきが生じる原因となる各ルーバー層の遮光帯及び光透過帯の寸法精度の誤差が、１μｍ以上であっても許容することができる。
【００１５】
光透過方向制御シートにおけるルーバー層の積層数は３層以上であれば特に限定されず、各ルーバー層で発生する輝度のバラつきを低減する観点から、多い程好ましい。しかし、各ルーバー層の遮光帯が光透過方向制御シートの厚さ方向に見て完全に重複していない限り、ルーバー層の積層数が増えると、厚さ方向に見たときの遮光帯の占有率が増加するため（光透過帯の開口率が低下するため）、光透過方向制御シートの出射面における輝度が低下する。したがって、出射面における輝度をなるべく高く維持する観点からすると、ルーバー層の積層数は少ない程好ましい。この２つの観点を勘案して、光透過方向制御シートのルーバー層の積層数は、３〜１０層が好ましく、４〜８層がより好ましく、４〜６層がさらに好ましい。
【００１６】
光透過方向制御シートを構成する各ルーバー層の厚さは特に限定されず、視野角に応じて適宜設定される。例えば、全方位視野角を５〜２５°に狭める場合、全ルーバー層の合計の厚さは、７００μｍ〜６０００μｍ程度にすることが好ましい。各ルーバー層の厚さは同じであってもよいし、異なっていてもよいが、全方位で均一な視野角を実現する観点から、各ルーバー層の厚さは同じ若しくは同等であることが好ましい。
【００１７】
光透過方向制御シートの厚さ方向に全ルーバー層を重ねて見て、各ルーバー層の遮光帯は個別の遮光帯として視認されることが好ましい。つまり、積層された各ルーバー層の遮光帯は、厚さ方向に見て重ならずに、シート面方向（横方向）にスライドして配置されていることが好ましい。なお、遮光帯の幅及びピッチはμｍ単位であるため、肉眼で視認することが難しい場合がある。この場合には拡大鏡を使用して視認される。
【００１８】
通常、各ルーバー層の出射面において発生する輝度のバラつきは、各ルーバー層の遮光帯のピッチ（つまり光透過帯のピッチ）に対応した、明るい領域及び暗い領域からなる平面パターンを生じる。
上記の様に、積層された各ルーバー層の遮光帯が厚さ方向で重ならないように配置されていると、各ルーバー層の輝度バラつきの平面パターンが一致せずに、シート面方向にスライドする。この結果、光透過方向制御シートの出射面における輝度のバラつきを、各ルーバー層の平面パターンが重なって平均化することによって、目立たなくすることができる。
さらに、光透過方向制御シートの出射面における輝度のバラつきが、上記平均化によって目立たなくなるので、そのバラつきが生じる原因となる各ルーバー層の遮光帯及び光透過帯の寸法精度の誤差が、１μｍ以上であっても許容することができる。
【００１９】
光透過方向制御シートを構成する各ルーバー層において、輝度のバラつきの変化（ムラ）を無くす観点から、一のルーバー層を構成する複数の遮光帯は同じピッチ（等間隔）で、繰り返されることが好ましい。同様に、一のルーバー層を構成する複数の光透過帯は同じピッチ（等間隔）で、繰り返されることが好ましい。
【００２０】
各ルーバー層を構成する光透過帯の幅及び遮光帯の幅は特に限定されず、視野角に応じて、それぞれ独立して適宜設定される。各ルーバー層の出射面における輝度を高くし、開口率を高める観点から、光透過帯の幅なるべく広く、遮光帯の幅はなるべく狭くすることが好ましい。
例えば、全方位視野角を５〜２５°に狭める場合、各ルーバー層において、光透過帯の幅を５０μｍ〜３００μｍ程度にして、遮光帯の幅を２μｍ〜５０μｍ程度にすることが好ましい。
【００２１】
積層された複数のルーバー層同士の光透過帯の幅、遮光帯の幅は、それぞれ同じであってもよいし、異なっていてもよい。
各ルーバー層同士の上記２つの幅がそれぞれ同じ又は同等であると、各ルーバー層の出射面における輝度のバラつきの平面パターンを、厚さ方向で重ねて均一化し、光透過方向制御シートの出射面における輝度のバラつきを容易に目立たなくすることができる。
一方、各ルーバー層同士の上記２つの幅がそれぞれ大きく相違すると、各ルーバー層の遮光帯の長さ方向が互いに平行になるように重ねた際にモワレが生じることを充分に抑制することができる。
【００２２】
光透過方向制御シートにおいて、積層された各ルーバー層の｛光透過帯の幅÷（光透過帯の幅＋遮光帯の幅）｝×１００％で表される開口率は特に限定されず、出射面において明るい輝度を得る観点から、例えば８０％以上であることが好ましい。
積層されたルーバー層同士の上記開口率は、同じであってもよいし、異なっていてもよい。
【００２３】
光透過方向制御シートを構成する各ルーバー層の遮光帯の長さ方向は特に限定されず、適宜設定される。通常、視野角を狭めたい方向に対して、遮光帯の長さ方向が交差するように配置される。したがって、２方向以上について視野角を狭める場合には、全ルーバー層の遮光帯の長さ方向が平行である場合は通常除かれる。
【００２４】
光透過方向制御シートの厚さ方向をＺ方向とし、Ｚ方向に垂直な面内における互いに垂直な二方向をそれぞれＸ方向、Ｙ方向とする。このとき、当該光透過方向制御シートは、Ｙ方向に対して交差する、好ましくは直交する方向に遮光帯の長さ方向が配置された第１のルーバー層と、Ｘ方向に対して交差する、好ましくは直交する方向に遮光帯の長さ方向が配置された第２のルーバー層と、を備えることが好ましい。これら第１及び第２のルーバー層を備えることによって、当該光透過方向制御シートの視野角を全方位に渡って狭めることができる。
【００２５】
光透過方向制御シートの全方位視野角は、従来技術では成し得なかった５〜２５°が好ましく、７〜１８°がより好ましい。
【００２６】
ルーバー層がｎ層（ｎ≧３）積層された光透過方向制御シートの構成として、例えば、その厚さ方向（Ｚ方向）に、積層された全ルーバー層を重ねて見て、各遮光帯の長さ方向が、互いに（３６０°／ｎ）±５°の交差角度を有する構成が挙げられる。本構成によれば、たてよこの両方向に電極が配置された液晶素子等からなる表示画面に設置した場合、光透過方向制御シートの出射面にモワレが生じることを容易に防止することができる。
【００２７】
具体例として、以下の構成が挙げられる。
ルーバー層が３層積層されているｎ＝３の場合、各遮光帯の交差角度が１２０°±５°である構成が挙げられる。
ルーバー層が４層積層されているｎ＝４の場合、各遮光帯の交差角度が９０°±５°である構成が挙げられる。
ルーバー層が５層積層されているｎ＝５の場合、各遮光帯の交差角度が７２°±５°である構成が挙げられる。
ルーバー層が６層積層されているｎ＝６の場合、各遮光帯の交差角度が６０°±５°である構成が挙げられる。
ルーバー層が８層積層されているｎ＝８の場合、各遮光帯の交差角度が４５°±５°である構成が挙げられる。
【００２８】
ルーバー層がｎ層（ｎ≧３）積層された光透過方向制御シートの構成として、例えば、その厚さ方向（Ｚ方向）に、積層された全ルーバー層を重ねて見て、各遮光帯の長さ方向が、互いに（１８０°／ｎ）±５°の交差角度を有する構成が挙げられる。本構成によれば、たてよこの両方向に電極が配置された液晶素子等からなる表示画面に設置した場合、光透過方向制御シートの出射面にモワレが生じることを容易に防止することができる。
【００２９】
具体例として、以下の構成が挙げられる。
ルーバー層が３層積層されているｎ＝３の場合、各遮光帯の交差角度が６０°±５°である構成が挙げられる。
ルーバー層が４層積層されているｎ＝４の場合、各遮光帯の交差角度が４５°±５°である構成が挙げられる。
ルーバー層が５層積層されているｎ＝５の場合、各遮光帯の交差角度が３６°±５°である構成が挙げられる。
ルーバー層が６層積層されているｎ＝６の場合、各遮光帯の交差角度が３０°±５°である構成が挙げられる。
【００３０】
（透明樹脂層）
本発明の光透過方向制御シートにおいて、任意のルーバー層同士の間及び／又は外部に面するルーバー層の表面若しくは裏面に、透明樹脂層が配置されていてもよい。透明樹脂層を設けることにより、当該ルーバー層を保護したり、当該ルーバー層の構造的強度を向上させたりすることができる。光透過方向制御シートに配置される透明樹脂層の数は特に限定されず、０層であってもよいし、１層以上の任意の層数であってもよい。
透明樹脂層の厚さは特に限定されないが、十分な保護機能を得るとともに、光線透過率の低下を抑制する観点から、例えば、０．０１〜０．５ｍｍ程度が好ましく、０．１〜０．２ｍｍ程度がより好ましい。
透明樹脂層の表面には、必要に応じて、反射防止、汚れ防止、耐薬品性向上等の目的で公知の表面処理が施されていてもよい。
【００３１】
（粘着層）
本発明の光透過方向制御シートにおいては、底面（裏面）及び表面の少なくとも一方に粘着層が備えられていてもよい。粘着層を介して、当該光透過方向制御シートを所望の設置面に接着することができる。この接着力は、容易に再剥離できる接着力であってもよいし、再剥離が困難な接着力であってもよく、光透過方向制御シートの用途に応じて適宜選択される。
【００３２】
（光透過性について）
本発明の光透過方向制御シートの厚さ方向における光線透過率は４５％以上であることが好ましく、５５％以上であることがより好ましい。光線透過率は高い程好ましいが、狭視野角を達成するために各ルーバー層の遮光帯の合計の厚さを従来よりも厚くするので、光線透過率を１００％程度にすることは困難であり、通常８５％程度が上限値となる。
【００３３】
本明細書における「光線透過率」の値は、光源としてＪＩＳ  Ｚ  ８７２０に規定されるＤ６５を用い、光源から出射された検査光の強度を受光センサーで測定する装置において、前記検査光の光路上に被測定物が無い状態での受光センサーの出力値をＡ、検査光の光路上に被測定物をセットし、被測定物を透過した透過光が受光センサーで受光される状態での出力値をＢとするとき、光線透過率＝（Ｂ／Ａ）×１００（単位；％）で求められる値とする。
【００３４】
（視野角について）
光透過方向制御シートの視野角の測定は、以下の方法によって測定される。
光透過方向制御シートの厚さ方向（Ｚ方向）に沿う軸をＺ軸とし、Ｚ軸に垂直な面内における互いに垂直な二方向（Ｘ方向、Ｙ方向）に沿う軸をそれぞれＸ軸、Ｙ軸とする（例えば図１のＸ軸，Ｙ軸，Ｚ軸）。
（１）光源から受光センサーへ向かう光線軸と、光透過方向制御シートのＺ軸とを平行にする。（２）光源から光透過方向制御シートに対して光を照射する。（３）光透過方向制御シートを間に挟んで光源の反対側に設置された受光センサーにおいて、光透過方向制御シートを透過する光線を検知し、光線透過率を測定する。光線透過率の測定は前述した方法に準拠して行う。（４）Ｘ軸を中心として、Ｚ軸を光線軸に対して所定の傾斜角度で傾ける。（５）その傾斜角度を徐々に変化させて、測定される光線透過率が１％以上に維持される範囲のＸ軸の回転角度が、当該光透過方向制御シートのＹ−Ｚ平面における視野角（例えば図２のθｙ）である。
また、上記（４）において、Ｘ軸に替えてＹ軸を中心として、同様に測定したＹ軸の回転角度が、当該光線透過方向制御シートのＸ−Ｚ平面における視野角（例えば図３のθｘ）である。
さらに、上記（４）において、Ｘ軸に替えて、Ｘ−Ｙ平面にあり且つ原点でＺ軸に直交する任意の軸（Ａ軸）を中心として、同様に測定したＡ軸の回転角度が、当該光線透過方向制御シートのＡ−Ｚ平面における視野角である。
Ａ軸とＸ軸とのなす角は任意であり、Ａ−Ｚ平面における視野角は任意方向の視野角である。
ここで、Ｘ−Ｙ平面においてＺ軸に直交する１２本のＡ軸（Ａ１軸〜Ａ１２軸）を設定する。各Ａ軸は、３６０°を１２等分した角度で配置されており、互いのなす角度が３０°とされる。各Ａ軸に対応する各Ａ−Ｚ平面における視野角を測定し、得られた１２個の視野角の平均値を「全方位視野角」とみなす。
【００３５】
［第一実施形態］
光透過方向制御シートの第一実施形態として、ルーバー層が４層積層された光透過方向制御シート１を図１に示す。
図１は光透過方向制御シート１の一部を拡大して模式的に示した斜視図である。図１において、光透過方向制御シート１の厚さ方向をＺ方向とし、当該シート１の中へ入射する光の光源側をＺ１側とし、当該シート１を透過する光が出射する照射側（視認側）をＺ２側とする。また、Ｚ方向に垂直な面内における互いに垂直な二方向をそれぞれＸ方向、Ｙ方向とする。
【００３６】
光透過方向制御シート１は、厚さ方向において、Ｚ１側から順に、第１透明樹脂層５、第１ルーバー層１０、第２ルーバー層２０、第３ルーバー層３０、第４ルーバー層４０、及び第２透明樹脂層４５が順に積層され、互いに一体化されている。
Ｘ−Ｙ平面（Ｚ方向に垂直な面）内における、光透過方向制御シートの全体の平面形状は、例えば矩形であるが、設置する箇所の形状に応じて適宜変更できる。
【００３７】
第１ルーバー層１０は、Ｙ方向において、光透過帯１１と遮光帯１２とが交互に繰り返されている。光透過帯１１及び遮光帯１２はいずれもＸ方向に延びる帯状であり、そのＹ方向における幅はそれぞれ均一かつ一定である。複数の光透過帯１１は互いに同じ幅であり、複数の遮光帯１２は互いに同じ幅である。
【００３８】
第２ルーバー層２０は、Ｘ方向において、光透過帯２１と遮光帯２２とが交互に繰り返されている。光透過帯２１及び遮光帯２２はいずれもＹ方向に延びる帯状であり、そのＸ方向における幅はそれぞれ均一かつ一定である。複数の光透過帯２１は互いに同じ幅であり、複数の遮光帯２２は互いに同じ幅である。
【００３９】
第３ルーバー層３０の構成は、第１ルーバー層１０と同様であり、均一かつ一定幅の帯状の光透過帯３１と遮光帯３２とがＹ方向において交互に繰り返され、光透過帯３１及び遮光帯３２の長さ方向がＸ方向に延びている。複数の光透過帯３１は互いに同じ幅であり、複数の遮光帯３２は互いに同じ幅である。
【００４０】
第４ルーバー層４０の構成は、第２ルーバー層２０と同様であり、均一かつ一定幅の帯状の光透過帯４１と遮光帯４２とがＸ方向において交互に繰り返され、光透過帯４１及び遮光帯４２の長さ方向がＹ方向に延びている。複数の光透過帯４１は互いに同じ幅であり、複数の遮光帯４２は互いに同じ幅である。
【００４１】
図２は光透過方向制御シート１をＹ−Ｚ平面（図２の紙面）で切断した断面図である。
Ｙ−Ｚ平面の視野角θｙは、従来技術では成し得なかった狭い全方位視野角を実現する観点から、５〜２５°が好ましく、７〜１８°がより好ましい。
【００４２】
Ｙ−Ｚ平面における視野角θｙは、第１ルーバー層１０及び第３ルーバー層３０の光透過帯１１，３１の幅及び遮光帯１２，３２の幅、並びに、第１ルーバー層１０、第２ルーバー層２０及び第３ルーバー層３０の厚さＴ１０，Ｔ２０，Ｔ３０によって制御される。なお、各ルーバー層の遮光帯のピッチは光透過帯の幅及び遮光帯の幅によって規定される。
【００４３】
第２ルーバー層２０が積層された第１ルーバー層１０の表面と、遮光帯１２とのなす角度α１は特に限定されず、例えば、６０〜９５°とすることができる。この際、第１ルーバー層１０における光線透過率を高める観点及びＹ−Ｚ平面における視野角θｙを容易に制御する観点から検討すると、８５〜９５°（略９０°）が好ましく、８９〜９１°がより好ましく、９０°がさらに好ましい。
また、第４ルーバー層４０が積層された第３ルーバー層３０の表面と遮光帯３２とのなす角度α３は特に限定されず、例えば、６０〜９５°とすることができる。この際、第３ルーバー層３０における光線透過率を高める観点及びＹ−Ｚ平面における視野角θｙを容易に制御する観点から検討すると、８５〜９５°（略９０°）が好ましく、８９〜９１°がより好ましく、９０°がさらに好ましい。
【００４４】
図３は光透過方向制御シート１をＸ−Ｚ平面（図３の紙面）で切断した断面図である。
Ｘ−Ｚ平面の視野角θｘは、従来技術では成し得なかった狭い全方位視野角を実現する観点から、５〜２５°が好ましく、７〜１８°がより好ましい。
【００４５】
Ｘ−Ｚ平面における視野角θｘは、第２ルーバー層２０及び第４ルーバー層４０の光透過帯２１，４１の幅及び遮光帯２２，４２の幅、並びに、第２ルーバー層２０、第３ルーバー層３０及び第４ルーバー層４０の厚さＴ２０，Ｔ３０，Ｔ４０によって制御される。なお、各ルーバー層の遮光帯のピッチは光透過帯の幅及び遮光帯の幅によって規定される。
【００４６】
第３ルーバー層３０が積層された第２ルーバー層２０の表面と、遮光帯２２とのなす角度α２は特に限定されず、例えば、６０〜９５°とすることができる。この際、第２ルーバー層２０における光線透過率を高める観点及びＸ−Ｚ平面における視野角θｘを容易に制御する観点から検討すると、８５〜９５°（略９０°）が好ましく、８９〜９１°がより好ましく、９０°がさらに好ましい。
また、透明樹脂層４５が積層された第４ルーバー層４０の表面と遮光帯４２とのなす角度α４は特に限定されず、例えば、６０〜９５°とすることができる。この際、第４ルーバー層４０における光線透過率を高める観点及びＸ−Ｚ平面における視野角θｘを容易に制御する観点から検討すると、８５〜９５°（略９０°）が好ましく、８９〜９１°がより好ましく、９０°がさらに好ましい。
【００４７】
第１ルーバー層１０の厚さＴ１０は、前述したように出射面における輝度のバラつきを低減する観点から薄い程好ましく、他のルーバー層の厚さを勘案して、例えば、２００μｍ〜１５００μｍが好ましく、６００μｍ〜１３００μｍがより好ましく、８００μｍ〜１１００μｍがさらに好ましい。
第２ルーバー層２０、第３ルーバー層３０及び第４ルーバー層４０の各厚さＴ２０，Ｔ３０，Ｔ４０についても、第１ルーバー層１０の好適な厚さと同様の厚さが好適である。
【００４８】
第１、第２及び第３ルーバー層の合計の厚さは、視野角θｙを狭める目的において厚くする程好ましく、例えば、６００μｍ〜４５００μｍが好ましく、１８００μｍ〜３９００μｍがより好ましく、２４００μｍ〜３３００μｍがさらに好ましい。
【００４９】
第２、第３及び第４ルーバー層の合計の厚さは、視野角θｘを狭める目的において厚くする程好ましく、例えば、６００μｍ〜４５００μｍが好ましく、１８００μｍ〜３９００μｍがより好ましく、２４００μｍ〜３３００μｍがさらに好ましい。
【００５０】
第１ルーバー層１０の光透過帯１１の幅Ｗ１１は、５０〜３００μｍが好ましく、７５〜２００μｍがより好ましい。
第１ルーバー層１０の遮光帯１２の幅Ｗ１２は、２μｍ〜５０μｍが好ましく、２μｍ〜１５μｍがより好ましい。
【００５１】
第２ルーバー層２０、第３ルーバー層３０及び第４ルーバー層４０の各光透過帯２１，３１，４１の各幅Ｗ２１，Ｗ３１，Ｗ４１についても、第１ルーバー層１０の光透過帯１１の幅Ｗ１１の好適な幅と同様の幅が好適である。
【００５２】
第２ルーバー層２０、第３ルーバー層３０及び第４ルーバー層４０の各遮光帯２２，３２，４２の各幅Ｗ２２，Ｗ３２，Ｗ４２についても、第１ルーバー層１０の遮光帯１２の幅Ｗ１２の好適な幅と同様の幅が好適である。
【００５３】
第１〜第４ルーバー層の各々の｛光透過帯の幅÷（光透過帯の幅＋遮光帯の幅）｝×１００％で表される開口率は、８０％以上であることが好ましく、９０％以上であることがより好ましい。各ルーバー層の開口率は、同じであってもよいし、異なっていてもよい。
【００５４】
上記の構成のルーバー層が４段重ねられた光透過方向制御シート１において、互いに直交するＸ−Ｚ平面及びＹ−Ｚ平面方向の視野角が５〜２５°程度であって、全方位視野角が５〜２５°程度の狭視野角が実現される。
【００５５】
図１の光透過方向制御シート１では、その厚さ方向（Ｚ方向）に見て、第１ルーバー層１０の遮光帯１２の長さ方向（Ｘ方向）と、第１ルーバー層１０の一方の面に設置された第２ルーバー層２０の遮光帯２２の長さ方向（Ｙ方向）との交差角度は８５〜９５°である。ただし、光透過方向制御シート１における上記交差角度はこの範囲に限定されず、任意の角度で設定され得る。
【００５６】
図１の光透過方向制御シート１では、その厚さ方向（Ｚ方向）に見て、第２ルーバー層２０の遮光帯２２の長さ方向（Ｙ方向）と、第２ルーバー層２０の一方の面に設置された第３ルーバー層３０の遮光帯３１の長さ方向（Ｘ方向）との交差角度は８５〜９５°である。ただし、光透過方向制御シート１における上記交差角度はこの範囲に限定されず、任意の角度で設定される。
【００５７】
図１の光透過方向制御シート１では、第３ルーバー層３０の一方の面にさらに第４ルーバー層４０が設置されており、その厚さ方向（Ｚ方向）に見て、第３ルーバー層３０の遮光帯３２の長さ方向（Ｘ方向）と、第４ルーバー層４０の遮光帯４２の長さ方向（Ｙ方向）との交差角度は８５〜９５°である。ただし、光透過方向制御シート１における上記交差角度はこの範囲に限定されず、任意の角度で設定される。
【００５８】
光透過方向制御シート１では、図２及び図３に示す様に、その厚さ方向（Ｚ方向）に見て、第１ルーバー層１０において等間隔で繰り返された遮光帯１２が、第３ルーバー層３０において等間隔で繰り返された遮光帯３２とは別の遮光帯として視認される。つまり、第１ルーバー層１０の遮光帯１２と第３ルーバー層３０の遮光帯３２は、互いのピッチがほぼ半周期ずれる様に設置されている。この様に設置されていることにより、第１ルーバー層１０の輝度のバラつきが生じる周期と、第３ルーバー層３０の輝度のバラつきが生じる周期とが、半周期ずつずれることになる。この結果、遮光帯１２と遮光帯３２の周期がずれておらず、厚さ方向で完全に重なる場合と比べて、出射面における輝度のバラつきを目立たなくすることができるので好ましい。
【００５９】
図１〜図３に例示した光透過方向制御シート１においては、４層で積層された各ルーバー層の遮光帯の交差角度が、互いに約９０°となるように配置されている。しかし、本発明の光透過方向制御シートにおける各ルーバー層の遮光帯の交差角度は約９０°に限定されず、任意の角度であり得る。
【００６０】
図１〜図３に例示した光透過方向制御シート１において、遮光帯の長さ方向が互いに直交する第１ルーバー層１０と第２ルーバー層２０を第１の二層組シートとして、同様に、遮光帯の長さ方向が互いに直交する第３ルーバー層３０と第４ルーバー層４０を第２の二層組シートとして捉えると、光透過方向制御シート１は二層組シートが２つ積層してなる積層体であると捉えられる。
【００６１】
［第二実施形態］
光透過方向制御シートの第二実施形態として、互いの遮光帯の長さ方向の交差角度が８５〜９５°であるルーバー層が、２つ積層されてなる二層組シートを備え、その二層組シートが２枚重ねられてなる光透過方向制御シートが挙げられる。この光透過方向制御シートを構成する２枚の二層組シートは、第１の二層組シートと第２の二層組シートとからなる。
【００６２】
第二実施形態において、第１の二層組シートを構成する一方のルーバー層の遮光帯と、第２の二層組シートを構成する一方のルーバー層の遮光帯との交差角度は任意の角度で設定され得る。なお、各二層組シートを構成する一方のルーバー層同士の交差角度が規定されれば、各二層組シートを構成する他方のルーバー層同士の交差角度が必然的に規定される。
【００６３】
第二実施形態の一例として、例えば、図１〜図３に示す光透過方向制御シート１が挙げられる。光透過方向制御シート１においては、各二層組シートを構成する互いの遮光帯の交差角度は約９０°であり、第１の二層組シートを構成する一方のルーバー層（第１ルーバー層１０）の遮光帯１２と、第２の二層組シートを構成する一方のルーバー層（第３ルーバー層３０）の遮光帯３２との交差角度は０〜１０°である。また、第１の二層組シートを構成する他方のルーバー層（第２ルーバー層２０）の遮光帯２２と、第２の二層組シートを構成する他方のルーバー層（第４ルーバー層４０）の遮光帯４２との交差角度は０〜１０°である。
【００６４】
光透過方向制御シート１の厚さ方向に全ルーバー層を重ねて見ると、図４に示す様に、各ルーバー層の遮光帯１２，２２，３２，４２が個別の遮光帯として視認される。この際、各遮光帯のスケールはμｍ単位であるため、拡大鏡で拡大して観察することにより、各遮光帯が明りょうに観察される。
【００６５】
第二実施形態の別の一例として、第１の二層組シートを構成する一方のルーバー層の遮光帯と、第２の二層組シートを構成する一方のルーバー層の遮光帯との交差角度が４０〜５０°である構成が挙げられる。この構成は、図５に示す様に、光透過方向制御シート１において第１の二層組シートに対して、Ｚ軸を中心として約４５°回転した第２の二層組シートを積層した構成に相当する。なお、図５においては、光透過方向制御シート１の構成に対応する構成について、光透過方向制御シート１と同じ符号を付してある。
【００６６】
第二実施形態の光透過方向制御シートにおいて、二層組シートを積層する枚数は２枚以上であれば特に限定されないが、枚数が増える程光線透過率が減少する。このため、二層組シートを積層する枚数は、例えば２〜５枚が好ましく、２〜４枚がより好ましく、２〜３枚がさらに好ましい。
【００６７】
［光透過帯の材料］
本発明の光透過方向制御シートを構成する光透過帯の材料は特に限定されず、例えば、透明性が高い樹脂が好適である。具体的には、ルーバー層の光透過帯のみに対して、ルーバー層の厚さ方向に光を透過させたときの光線透過率（光透過率）が７５％以上、好ましくは８５％以上であるような、高い透明性を有する樹脂材料が好ましい。例えば、透明性が高い熱可塑性樹脂や熱硬化性樹脂が用いられ、具体例としては、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。中でもシリコーン樹脂が好ましく、特に耐熱性の点でシリコーンゴムが特に好ましい。
【００６８】
［遮光帯の材料］
本発明の光透過方向制御シートを構成する遮光帯の材料は特に限定されず、例えば、光透過帯の材料として上記に挙げた樹脂を基材とし、これに顔料や染料等の着色剤を添加してなる着色樹脂が好適である。光透過帯をなしている樹脂材料と、遮光帯の基材としての樹脂材料とは同じであってもよく、異なっていてもよいが、光透過帯と遮光帯との接着性が良好となり易い観点から、両者の樹脂材料は同じであることが好ましい。
【００６９】
遮光帯の色調は、遮光帯における好ましい遮光性が得られればよく、例えば黒、赤、黄、緑、青、水色等が挙げられる。遮光帯の色調及び遮光性は、着色剤の種類及び添加量によって調整できる。具体的には、ルーバー層の遮光帯のみに対して、ルーバー層の厚さ方向に光を照射したときの光線透過率が４０％以下、好ましくは１０％以下となるような遮光性を有することが好ましい。また、遮光帯の色調は、当該ルーバー層を見たときに認識される色調を構成するので装飾性も考慮して設計することが好ましい。
【００７０】
着色剤の具体例としては、カーボンブラック、酸化鉄、酸化チタン、黄色酸化鉄、ジスアゾイエロー、フタロシアニンブルー等の一般的な有機顔料あるいは無機顔料が挙げられる。着色剤は１種でもよく、２種以上を用いてもよい。また黒色顔料を用いない場合は、良好な遮光性を得るために白色顔料を併用することが好ましい。
【００７１】
［透明樹脂層の材料］
本発明の光透過方向制御シートを構成する透明樹脂層の材料は特に限定されず、例えば、光透過帯の材料として上記に挙げた樹脂が好適である。透明樹脂層の厚さ方向の光線透過率が７５％以上である材料が好ましく、８５％以上である材料がより好ましい。具体的には、例えば、透明性と耐熱性の点からポリカーボネート樹脂、ポリエステル系樹脂、アクリル樹脂、ポリオレフィン系樹脂（特に、シクロオレフィンポリマー）、セルロース系樹脂が好ましく、中でもポリカーボネート、及びポリエステル樹脂がより好ましい。
透明樹脂層を構成する樹脂には、必要に応じて、耐候性向上、意匠性向上等の目的で、紫外線吸収剤、赤外線吸収剤、着色剤等の樹脂フィルム分野における公知の添加剤が含有されてもよい。
【００７２】
［粘着層の材料］
本発明の光透過方向制御シートを構成する粘着層の材料は特に限定されず、例えば、エラストマー系粘着剤、アクリル系粘着剤、ウレタン系粘着剤、ゴム系粘着剤等が挙げられる。前記エラストマー系粘着剤としては、例えば、シリコーンゴム、シリコーンゲル、ウレタンゴム、ウレタンゲル等を含む粘着剤が挙げられる。エラストマー系粘着剤を使用する場合は、その透明性を高めるために公知の鏡面加工を粘着層の表面に施すことが好ましい。文房具である付箋紙を構成する公知の粘着剤も好適である。
【００７３】
［光透過方向制御シートの製造方法］
本発明の光透過方向制御シートを構成する各ルーバー層は、例えば、以下の方法で製造することができる。まず、光透過帯の構成材料からなり所定厚さの第１のシートの複数枚と、遮光帯の構成材料からなり所定厚さの第２のシートの複数枚とを交互に積層し、加熱及び加圧してこれら複数のシートが一体化してなるブロック体を形成する。
【００７４】
次いで、ブロック体をシート表面に垂直な切断面でスライスすることにより各ルーバー層が得られる。スライスする際の厚さ（スライス幅）は、各ルーバー層の厚さに相当する。なお、該ブロック体をシート表面に対して傾いた面でスライスすることにより、各ルーバー層の表面と遮光帯とのなす角度（例えば、前述のα１〜α４）を調整することができる。
【００７５】
スライスして得られたルーバー層同士を一体化させる方法は、特に限定されず、公知の手法を適宜用いることができる。
例えば、硬化後に透明性を有する接着剤を用いて両者を接着する方法が好ましい。この接着に使用される接着剤としては、硬化後に高い透明性を有するものが好ましく、例えば、熱硬化型接着剤、多液反応型接着剤、紫外線硬化型接着剤等が挙げられ、具体的にはエポキシ系接着剤、ウレタン系接着剤、アクリル系接着剤、メラミン系接着剤、ポリエステル系接着剤、シリコーン系接着剤等を好適に用いることができる。
【００７６】
任意のルーバー層と透明樹脂層とを積層し、一体化させる方法は特に限定されず、公知の手法を適宜用いることができる。
例えば、任意のルーバー層の表面に接着剤を塗布し、透明樹脂層の材料からなるシートを貼り合わせた後、接着剤を硬化させる方法が挙げられる。この接着に使用される接着剤としては、硬化後に高い透明性を有するものが好ましく、具体的には、前述したルーバー層同士の接着に好適に使用される接着剤が挙げられる。
【００７７】
所望の枚数のルーバー層を積層し、一体化して得られた光透過方向制御シートの裏面及び／又は表面に粘着層を形成する場合、その形成方法は特に限定されず、例えば、公知の粘着剤をシート面に塗布する方法が適用できる。
【００７８】
＜第二態様＞
本発明の第二態様は、光源と、その光源からの光の出射部に設置された、第一態様の光透過方向制御シートと、を備えた照明装置である。
光源の種類は特に限定されず、例えば、公知の平面光源が挙げられる。光源から出射される光の波長は特に限定されず、例えば、可視光線、赤外光線、紫外光線等が適用可能である。光源の輝度は特に限定されず、高い程好ましい。
第二態様の照明装置において、光源から発せられた光の出射部において第一態様の光透過方向制御シートを透過することにより、指向性が揃った出射光となる。したがって、第一態様の光透過方向制御シートは、照明装置から出射される出射光の指向性を揃える光学フィルターとして機能し得る。
【００７９】
＜第三態様＞
本発明の第三態様は、光センサーと、その光センサーへの光の入射部に設置された、第一態様の光透過方向制御シートと、を備えた光センサー装置である。
光センサーが感知する光の波長は特に限定されず、例えば、可視光線、赤外光線、紫外光線等が挙げられる。光センサーの一例として、公知の赤外線センサーが挙げられる。
第三態様の光センサー装置において、感知対象から発せられた光が、特定の限られた方向から入射した場合に限って、光の入射部に設置された第一態様の光透過方向制御シートを透過し、光センサーに到達する。したがって、第一態様の光透過方向制御シートは、特定方向から入射する光のみを光センサーへ到達させ、その他の方向から来る光を遮断する光学フィルターとして機能し得る。
【実施例】
【００８０】
以下に実施例を挙げるが、本発明はこれらの実施例に限定されない。
［実施例１］
図１〜４に示す構成の光透過方向制御シート１を製造した。
まず、光透過帯１１として透明シリコーンゴム（信越化学工業社製、商品名；ＫＥ１５３Ｕ）からなる厚さが１２５μｍの第１のシートを用意した。
これとは別に、遮光帯１２として透明シリコーンゴム（信越化学工業社製、商品名；ＫＥ１５３Ｕ）１００質量部に対してカーボンブラックを１５質量部添加した材料からなる厚さが１０μｍの第２のシートを用意した。
第１のシート複数枚と第２のシート複数枚とを交互に積層し、加熱、加硫及び加圧してこれら複数のシートが一体化してなるブロック体を形成した。
【００８１】
次いで、ブロック体をシート表面に垂直な切断面で、厚さ（Ｔ１０）６００μｍにスライスすることにより第１ルーバー層１０を作製した。
続いて、第１ルーバー層１０と同様に、第２〜第４ルーバー層２０，３０，４０を作製した。
【００８２】
作製した第１ルーバー層１０一方の面（上面）と第２ルーバー層２０の他方の面（下面）とを、両者の遮光帯の長さ方向が９０°の角度で直交するように重ね合わせて接着し、一体化した。接着剤として二液硬化型シリコーンゴム（信越化学工業社製、商品名；ＫＥ１９３５）を用いた。
さらに、第１ルーバー層１０他方の面（下面）に、熱硬化型接着剤（信越化学工業社製、商品名；ＫＥ１８２５）を塗布したポリカーボネートシート（第１透明樹脂層５）を貼り合わせて、接着剤を熱硬化させた。
上記の方法によって、互いの遮光帯１２，２２の長さ方向の交差角度が９０°である第１の二層組シートを得た。
【００８３】
続いて、同様の方法によって、第３ルーバー層３０の上面と第４ルーバー層４０の下面とを、互いの遮光帯３２，４２の長さ方向が直交する向きで接着し、さらに第４ルーバー層４０の上面にポリカーボネートシート（第２透明樹脂層４５を貼り合せてなる、第２の二層組シートを得た。
【００８４】
上記で得た第１の二層組シートを構成する一方の遮光帯（遮光帯１２）と、第２の二層組シートを構成する一方の遮光帯（遮光帯３２）との交差角度が約０°となる様に、且つ、厚さ方向に重ねて見て、遮光帯１２と遮光帯３２とが重複しない様に、２つの二層組シートを重ね合せて接着し、一体化した。この際、第２ルーバー層２０の上面と第３ルーバー層３０の下面とを接着した。
【００８５】
以上の方法で得られた光透過方向制御シート１において、互いに直交するＸ−Ｚ平面及びＹ−Ｚ平面方向の視野角が約１０°、全方位視野角が約１０°であった。また、全体の光線透過率は６０％であった。
【００８６】
以上、具体的な実施例によって本発明を説明したが、本発明の技術的範囲は上記実施例に記載の範囲には限定されないことは言うまでもない。上記実施例に、多様な変更または改良を加えることが可能であることが当業者に明らかである。また、そのような変更又は改良を加えた形態も本発明の技術的範囲に含まれ得ることが、特許請求の範囲の記載から明らかである。
【産業上の利用可能性】
【００８７】
本発明の光透過方向制御シートは、例えば、各種の表示画面に設置して覗き見を防止するシートとして利用したり、照明装置やセンサー装置に取り付けて光学フィルターとして利用したりすることができる。
【符号の説明】
【００８８】
１…光透過方向制御シート、５…第１透明樹脂層、１０…第１ルーバー層、１１…光透過帯、１２…遮光帯、２０…第２ルーバー層、２１…光透過帯、２２…遮光帯、３０…第３ルーバー層、３１…光透過帯、３２…遮光帯、４０…第４ルーバー層、４１…光透過帯、４２…遮光帯、４５…第２透明樹脂層、１００…積層体、１００ａ…積層体の下面、Ａ…ルーバー層、ａ１…光透過帯、ａ２…遮光帯、Ｂ…ルーバー層、ｂ１…光透過帯、ｂ２…遮光帯
【図１】
0006624714.tif 000002
【図２】
0006624714.tif 000003
【図３】
0006624714.tif 000004
【図４】
0006624714.tif 000005
【図５】
0006624714.tif 000006
【図６】
0006624714.tif 000007
【図７】
0006624714.tif 000008